(57)【要約】【課題】紙幣の真贋・種類の識別を完了した識別完了位置となる場合でも、制御部が金券の有無などを把握できる構造を有して、諸問題への対応を可能とする金券識別装置を提供する。【解決手段】本発明の金券識別装置１は、金券が挿入される挿入口と、挿入口からの金券の挿入方向の第１位置に設けられる金券の挿入を検出する挿入検出部と、第１段の後方である第２位置に設けられる金券の真贋および種類の少なくとも一つを識別する第１識別部と、第２段の後方である第３位置に設けられる金券の存在の検出、真贋および種類の少なくとも一つを識別する第２識別部と、を備え、第１識別部は、金券の挿入において、金券の先端から終端までの通過によって、金券の真贋および種類の少なくとも一つの識別を完了し、第１識別部による金券の真贋および種類の少なくとも一つの一定条件に基づく識別が完了した位置（以下、「識別完了位置」という）において、第２識別部は、金券と重複可能である。【選択図】図４
2016001449.tif 000002
【特許請求の範囲】
【請求項１】
金券が挿入される挿入口と、
前記挿入口からの前記金券の挿入方向の第１位置に設けられる前記金券の挿入を検出する挿入検出部と、
前記第１段の後方である第２位置に設けられる前記金券の真贋および種類の少なくとも一つを識別する第１識別部と、
前記第２段の後方である第３位置に設けられる前記金券の存在の検出、真贋および種類の少なくとも一つを識別する第２識別部と、を備え、
前記第１識別部は、前記金券の挿入において、前記金券の先端から終端までの通過によって、前記金券の真贋および種類の少なくとも一つの識別を完了し、
前記第１識別部による前記金券の真贋および種類の少なくとも一つの一定条件に基づく識別が完了した位置（以下、「識別完了位置」という）において、前記第２識別部は、前記金券と重複可能である、金券識別装置。
【請求項２】
前記金券識別装置は、遊戯用機械同士の間に設置される、請求項１記載の金券識別装置。
【請求項３】
前記金券識別装置は、自動販売機の紙幣挿入部に接続して設置される、請求項１記載の金券識別装置。
【請求項４】
前記第１識別部は、透過光検出部および反射光検出部の少なくとも一方を有し、
前記透過光検出部および前記反射光検出部の少なくとも一方は、前記透過光もしくは前記反射光に基づいて、前記金券の反射率および透過率の少なくとも一つである識別情報を検出し、
前記金券の先端から後端までの通過において、前記透過光検出部および前記反射光検出部の少なくとも一方の識別情報に基づいて、前記金券の真贋および種類の少なくとも一方を識別する、請求項１から３のいずれか記載の金券識別装置。
【請求項５】
前記第２識別部は、透過光検出部および反射光検出部の少なくとも一方を有し、
前記透過光検出部および前記反射光検出部の少なくとも一方は、前記透過光もしくは前記反射光に基づいて、前記金券の反射率および透過率の少なくとも一つである識別情報を検出し、
前記金券の一部において、前記透過光検出部および前記反射光検出部の少なくとも一方の識別情報に基づいて、前記金券の真贋および種類の少なくとも一方を識別する、請求項４記載の金券識別装置。
【請求項６】
前記金券の真贋および種類の少なくとも一方の一定条件に基づく識別の完了（以下、「識別完了状態」という）は、前記第１識別部において、前記金券の先端から後端までの通過によって、実行される、請求項４または５記載の金券識別装置。
【請求項７】
前記識別完了状態は、前記第１識別部における前記金券の先端から後端までの通過および、前記第２識別部における前記金券の一部の通過によって、実行される、請求項４または５記載の金券識別装置。
【請求項８】
前記第２識別部は、前記第１識別部の補助である、請求項１から７のいずれか記載の金券識別装置。
【請求項９】
前記識別完了位置において、前記第２識別部は、前記金券を認識可能である、請求項１から８のいずれか記載の金券識別装置。
【請求項１０】
前記第２識別部は、前記金券の挿入方向と交差する方向に沿って、複数の識別素子を有する、請求項１から９のいずれか記載の金券識別装置。
【請求項１１】
前記複数の識別素子は、前記交差する方向に沿って、略平行である、請求項１０記載の金券識別装置。
【請求項１２】
前記金券の挿入方向の略直交方向において、前記第１識別部は、前記複数の識別素子の間であって、挿入口側に位置する、請求項１０または１１記載の金券識別装置。
【請求項１３】
前記第１識別部と前記第２識別部とをその範囲に含む、前記金券を搬送する搬送機構を更に有する、請求項１から１２のいずれか記載の金券識別装置。
【請求項１４】
前記挿入口から挿入された金券を収容する保管部を、前記挿入方向側に更に有する、請求項１から１３のいずれか記載の金券識別装置。
【請求項１５】
前記挿入検出部、前記第１識別部、前記第２識別部および前記搬送機構の少なくとも一つを制御する制御部を更に備え、
前記制御部は、前記識別完了位置で、前記金券の搬送を一時停止させる、請求項１から１４のいずれか記載の金券識別装置。
【請求項１６】
前記制御部は、前記識別完了位置で停止している前記金券を、前記第２識別部を用いて、前記金券の有無、正常状態および異常状態の少なくとも一つを判断する、請求項１５記載の金券識別装置。
【請求項１７】
前記制御部は、前記識別完了位置で停止している前記金券が異常状態であると判断する場合には、前記金券を前記挿入口から吐出する、前記保管部への収容を停止する、前記金券の停止状態を維持する、および警告を発する、ことの少なくとも一つを行う、請求項１６記載の金券識別装置。
【発明の詳細な説明】
【技術分野】
【０００１】
本発明は、汎用あるいは遊戯用機械に用いられる自動販売機、自動貸出機など、お金の投入に合わせて商品等を提供する機器に使用される紙幣の識別や一時的な保管を行う金券識別装置に関する。
【背景技術】
【０００２】
自動販売機や自動貸出機などが、街中、商店内部、集合建造物内部などの様々な場所に設置されている。外国においても自動販売機や自動貸出機が設置されているが、治安や貨幣価値の安定性といった我が国特有の事情に基づき、我が国においては、非常に多数の自動販売機や自動貸出機が設けられている。
【０００３】
また、パチンコ機やスロットマシン機といった遊戯用機械が設置された遊技場も広く普及している。これらのパチンコ機やスロットマシン機が設置された遊技場では、遊戯者が遊戯に必要となるパチンコ玉やコインの貸し出しを受けるために自動貸出機が設置されている。このような自動貸出機には、遊戯者が硬貨、紙幣、プリペイドカード、ＩＣカード、ＩＤカードなどを投入して、投入された金額（あるいは遊戯者が指定した金額）に対応するパチンコ玉やコインを提供する。このため、自動貸出機には、投入された紙幣やプリペイドカードなど（以下、「金券」という）の真贋、種類（金額）を識別しつつ、必要に応じて一時的に紙幣を保管する金券識別装置が設置される。
【０００４】
このような遊戯用機械に使用されるパチンコ玉やコインなどの貸し出しを行う自動貸出機は、遊戯用機械（パチンコ台やスロットマシン台）の間に設置される。遊戯用機械を使用して遊戯を楽しむ遊戯者は、遊戯店に設置されている多数の遊戯用機械のそれぞれの前に着座して、遊戯を楽しむ。パチンコやスロットマシンを始めとしたこれらの遊戯用機械は、遊戯者が連続して操作することを前提としているからである。
【０００５】
遊技者は、このような遊戯用機械の間に設置された自動貸し出し機を使用する。具体的には、自動貸出機に金券を挿入してパチンコ玉やコインなどの遊戯に必要なものを入手する。特に、多くの遊戯者は、遊戯開始だけでなく遊戯の途中でもランダムに自動貸出機を用いてパチンコ玉やコインを入手したいと考える。このため、頻繁に自動貸出機を使用する。
【０００６】
もちろん、遊戯用機械ではなくて飲料や食品などの自動販売機であっても、使用者は金券を受け付ける要素に金券を挿入して、物品の購入を行う。このときも、金券を識別する装置への金券の挿入行為が行われる。
【０００７】
上述のように、自動貸出機や自動販売機においては、必要なものの貸出や購入のために、金券を挿入して金券を識別する金券識別装置が実装されている。自動貸出機などは、実装している金券識別装置において、遊戯者や使用者からの金券の挿入を受けて、金券の真贋や種類を識別させる。識別によって、金額を確認して、対応する物品の貸し出しや販売を行える。
【０００８】
このため、金券識別装置は、挿入される金券の真贋および種類を確実に識別できる必要がある。金券は、たとえば日本で流通している紙幣だけでも、１０００円札、２０００円札、５０００円札、１００００円札と４種類ある。海外ではさらに多い。また、商品券や特殊な金券などに対応する必要がある場合には、さらなる種類の金券を、金券識別装置は、真贋と種類の識別を行うことが必要となる。
【０００９】
このような金券識別装置での金券の真贋や種類の識別を確実に行うことのできる技術が提案されている（例えば、特許文献１参照）。
【先行技術文献】
【特許文献】
【００１０】
【特許文献１】特許第５１７６５１８号公報
【発明の概要】
【発明が解決しようとする課題】
【００１１】
特許文献１は、第１の識別センサと、第２の識別センサと、これら第１及び第２の識別センサを紙幣が通過するよう紙幣を搬送する搬送手段と、第１及び第２の識別センサの出力信号に基づいて紙幣の真偽を識別する識別手段を備えた紙幣識別装置において、第２の識別センサの配置位置は、第１の識別センサよりも紙幣の搬送方向の下流側であり、第２の識別センサの出力信号に基づいて紙幣の終端を検知する終端紙幣検知手段を備え、識別手段は、紙幣が第１の識別センサを通過した後であって、かつ紙幣の終端が第２の識別センサを通過する前に紙幣の真偽を識別することを特徴とする紙幣識別装置を、開示する。
【００１２】
特許文献１に開示される紙幣識別装置は、紙幣が挿入された直後の位置に紙幣の挿入の有無を把握する挿入センサを備える。さらに、挿入センサの後段に紙幣の識別を行う第１センサを備え、加えて、第１センサの後段に第２センサを備える。この３段階のセンサによって、特許文献１に開示される紙幣識別装置は、紙幣の挿入および挿入された紙幣の種類の識別を実行する。
【００１３】
ここで、特許文献１に開示される紙幣識別装置は、紙幣の挿入の最初の位置にある挿入センサによって、紙幣の挿入の有無を把握できる。把握された結果は、紙幣識別装置に直接的もしくは間接的に接続する制御部（サーバーなど）に通知されて、制御部によって、紙幣識別動作やその他の必要な処理の実行が行われる。
【００１４】
制御部は、挿入を検知した後で、たとえば搬送機能を動作させて挿入された紙幣を内部に搬送させる。搬送が開始された紙幣は、まず第１センサに到達する。第１センサは、第１の機能・条件に基づいて、紙幣の真贋および種類を識別する。次いで、紙幣は、搬送機能によってさらに内部に搬送されて第２センサの位置に到達する。
【００１５】
第２センサは、第１センサと異なる機能・条件もしくは重複する機能・条件によって、第２センサに到達した紙幣の真贋や種類を識別する。このとき、第２センサは、挿入された紙幣の長さ（通過時間などから換算されてもよい）を計測して、紙幣の真贋や種類を識別する。このため、第２センサは、紙幣の先端から後端までのすべてが第２センサ上を通過して初めて紙幣の種類を識別できる。
【００１６】
このため、特許文献１に開示される紙幣識別装置は、第１センサおよび第２センサを、紙幣のすべてが通過した後で、初めて紙幣の真贋と種類を識別できることになる。言い換えれば、特許文献１に開示される紙幣識別装置は、真贋および種類の識別が終わった段階では、第１センサおよび第２センサのいずれとも重複していない状態である。
【００１７】
紙幣識別装置において、紙幣の真贋および種類の識別が完了している装置内部での紙幣の位置を、「エスクロ位置」と呼ぶ。このため、特許文献１の紙幣識別装置では、エスクロ位置においては、紙幣にはセンサが全く重複していない状態である。エスクロ位置となった状態で、第１センサと第２センサとで紙幣の真贋と種類の識別が終わっていることを前提として、特許文献１の紙幣識別装置は、識別の完了した紙幣をそのまま内部の保管部に搬送して収容する。
【００１８】
保管部に収容されれば、紙幣識別装置に接続されている自動貸出機や自動販売機は、紙幣金額に応じた物品を使用者等に提供する。
【００１９】
しかしながら、特許文献１に開示される紙幣識別装置では、エスクロ位置となるときに、紙幣とセンサが重複していない。このため、センサが紙幣を把握することが物理的に不可能である。
【００２０】
第１センサーなどで紙幣を識別したつもりとなっていても、その後にお金がいたずらで取り出されたり、挿入口に紙幣以外の異物を混入させたりするなどの不法行為が行われた場合でも、第２センサーを通過した紙幣や異物はそのまま保管部まで搬送されてしまう。
【００２１】
場合によっては問題のある紙幣でありながら、エスクロ位置まで到達したことのみによって紙幣が挿入されてしまえば、不法行為によって物品を提供してしまうことにもなりかねない。
【００２２】
あるいは、紙幣と共に異物を挿入されたとしても、この異物もそのまま保管部まで到達してしまうこともあり得る。エスクロ位置でセンサが異物と重複しないので、紙幣として識別されつつも異物である場合に、この異物の挿入によって紙幣識別装置が故障してしまうこともあり得る。
【００２３】
また、搬送機能の問題によって、エスクロ位置で識別が完了した紙幣の保管部への回収が不可能となることがある。この場合に、たとえば使用者によるいたずらが原因であるのか、搬送機能の故障が原因であるのかの区別をする方法がない。センサが紙幣と重複していないので、制御部は、紙幣の存在の有無すら確認できないからである。
【００２４】
加えて、保管部や搬送機能の問題によって、紙幣が回収できないこともあり得る。この紙幣が回収できない場合において、特許文献１の紙幣識別装置では、センサと紙幣が重複していないので、制御部は紙幣の有無を把握できない。このため、紙幣の吐出を行うこともできなくなる。
【００２５】
このように、紙幣の識別が完了するエスクロ位置において、紙幣とセンサとが重複することのない特許文献１の紙幣識別装置では、識別エラーや識別上の他の問題点に対する対応、いたずらへの対応、収容や搬送問題への対応、回収と吐出との切り替えの対応、などに対応することができない問題がある。
【００２６】
このように、特許文献１に代表される従来技術は、識別センサの位置と紙幣との位置関係が、識別のみに力点を置いているのみであり、識別そのものおよび識別以外を原因とする様々な問題に対応できない問題を有していた。これらの問題は、使用者のいたずらにも対応できない問題にもつながり、紙幣識別装置の故障などにつながる問題も有していた。
【００２７】
本発明は、これらの問題に鑑み、紙幣の真贋・種類の識別を完了した識別完了位置となる場合でも、制御部が金券の有無などを把握できる構造を有して、諸問題への対応を可能とする金券識別装置を提供することを目的とする。
【課題を解決するための手段】
【００２８】
上記課題に鑑み、本発明の金券識別装置は、金券が挿入される挿入口と、
挿入口からの金券の挿入方向の第１位置に設けられる金券の挿入を検出する挿入検出部と、
第１段の後方である第２位置に設けられる金券の真贋および種類の少なくとも一つを識別する第１識別部と、
第２段の後方である第３位置に設けられる金券の存在の検出、真贋および種類の少なくとも一つを識別する第２識別部と、を備え、
第１識別部は、金券の挿入において、金券の先端から終端までの通過によって、金券の真贋および種類の少なくとも一つの識別を完了し、
第１識別部による金券の真贋および種類の少なくとも一つの一定条件に基づく識別が完了した位置（以下、「識別完了位置」という）において、第２識別部は、金券と重複可能である。
【発明の効果】
【００２９】
本発明の金券識別装置は、挿入口から挿入された金券の真贋および種類の識別が完了した状態であっても、金券とセンサとが重複した状態を維持できる。このため、制御部は、金券やそれ以外に異常があることを、識別完了後であっても判断できる。
【００３０】
また、識別完了後でも、制御部は識別部と金券との重複によって、金券の存在を把握でき、金券の回収、吐出、停止などの種々の処理を行うことができる。
【００３１】
これらが相まって、使用者によるいたずらや機械の故障などとの区別が可能となり、金券識別装置に関するトラブルやエラーを防止できる。
【図面の簡単な説明】
【００３２】
【図１】本発明の実施の形態１における金券識別装置の斜視図である。
【図２】本発明の実施の形態１における金券識別装置の正面図である。
【図３】本発明の実施の形態１における金券識別装置の設置態様を示す模式図である。
【図４】本発明の実施の形態１における金券識別装置の識別部分３０の模式図である。
【図５】本発明の実施の形態１における金券識別装置の識別部分の模式図である。
【図６】本発明の実施の形態１における金券識別装置の識別部分の模式図であり、第３段階を示す模式図である。
【図７】本発明の実施の形態１における金券識別装置の識別部分での、第４段階の識別状態を示す説明図である。
【図８】本発明の実施の形態１における金券識別装置の識別部分の説明図であり、識別完了位置となった場合の説明図である。
【発明を実施するための形態】
【００３３】
本発明の第１の発明に係る金券識別装置は、金券が挿入される挿入口と、挿入口からの金券の挿入方向の第１位置に設けられる金券の挿入を検出する挿入検出部と、第１段の後方である第２位置に設けられる金券の真贋および種類の少なくとも一つを識別する第１識別部と、第２段の後方である第３位置に設けられる金券の存在の検出、真贋および種類の少なくとも一つを識別する第２識別部と、を備え、第１識別部は、金券の挿入において、金券の先端から終端までの通過によって、金券の真贋および種類の少なくとも一つの識別を完了し、第１識別部による金券の真贋および種類の少なくとも一つの一定条件に基づく識別が完了した位置（以下、「識別完了位置」という）において、第２識別部は、金券と重複可能である。
【００３４】
この構成により、第１識別部による金券の真贋および種類の識別が終わったところで、金券は、まだ第２識別部と重複できる。
【００３５】
本発明の第２の発明に係る金券識別装置では、第１の発明に加えて、金券識別装置は、遊戯用機械同士の間に設置される。
【００３６】
この構成により、金券識別装置は、遊戯用機器の隙間に設置されて、遊戯者の便宜を図ることができる。
【００３７】
本発明の第３の発明に係る金券識別装置では、第１の発明に加えて、金券識別装置は、自動販売機の紙幣挿入部に接続して設置される。
【００３８】
この構成により、金券識別装置は、さまざまな自動販売機に適用できる。
【００３９】
本発明の第４の発明に係る金券識別装置では、第１から第３のいずれかの発明に加えて、第１識別部は、透過光検出部および反射光検出部の少なくとも一方を有し、透過光検出部および反射光検出部の少なくとも一方は、透過光もしくは反射光に基づいて、金券の反射率および透過率の少なくとも一つである識別情報を検出し、金券の先端から後端までの通過において、透過光検出部および反射光検出部の少なくとも一方の識別情報に基づいて、金券の真贋および種類の少なくとも一方を識別する。
【００４０】
この構成により、第１識別部は、高い精度で、金券の真贋や種類を識別できる。
【００４１】
本発明の第５の発明に係る金券識別装置では、第４の発明に加えて、第２識別部は、透過光検出部および反射光検出部の少なくとも一方を有し、透過光検出部および反射光検出部の少なくとも一方は、透過光もしくは反射光に基づいて、金券の反射率および透過率の少なくとも一つである識別情報を検出し、金券の一部において、透過光検出部および反射光検出部の少なくとも一方の識別情報に基づいて、金券の真贋および種類の少なくとも一方を識別する。
【００４２】
この構成により、第２識別部は、高い精度で金券の有無、真贋、種類を識別できる。
【００４３】
本発明の第６の発明に係る金券識別装置では、第４または第５のいずれかの発明に加えて、金券の真贋および種類の少なくとも一方の一定条件に基づく識別の完了（以下、「識別完了状態」という）は、第１識別部において、金券の先端から後端までの通過によって、実行される。
【００４４】
この構成により、第１識別部は、金券全体を用いて高い精度で識別できる。また、金券の長さをもパラメータとして、金券の真贋および種類を識別できる。
【００４５】
本発明の第７の発明に係る金券識別装置では、第４または第５のいずれかの発明に加えて、識別完了状態は、第１識別部における金券の先端から後端までの通過および、第２識別部における金券の一部の通過によって、実行される。
【００４６】
この構成により、第１識別部と第２識別部とは、相互に補い合いながら、金券の真贋や種類を識別できる。
【００４７】
本発明の第８の発明に係る金券識別装置では、第１から第７のいずれかの発明に加えて、第２識別部は、第１識別部の補助である。
【００４８】
この構成により、第２識別部が第１識別部を補助して金券を識別できる。相互の役割分担が実現できる。
【００４９】
本発明の第９の発明に係る金券識別装置では、第１から第８のいずれかの発明に加えて、識別完了位置において、第２識別部は、金券を認識可能である。
【００５０】
この構成により、識別完了位置（エスクロ位置）においても、第２識別部が金券を検出、識別することが可能であり、金券に関する問題を、検出可能である。
【００５１】
本発明の第１０の発明に係る金券識別装置では、第１から第９のいずれかの発明に加えて、第２識別部は、金券の挿入方向と交差する方向に沿って、複数の識別素子を有する。
【００５２】
この構成により、第２識別部は、金券の幅や挿入状態にかかわらず、確実に金券を認識できる。
【００５３】
本発明の第１１の発明に係る金券識別装置では、第１０の発明に加えて、複数の識別素子は、交差する方向に沿って、略平行である。
【００５４】
この構成により、第２識別部は、金券認識を容易化できる。
【００５５】
本発明の第１２の発明に係る金券識別装置では、第１０または第１１の発明に加えて、金券の挿入方向の略直交方向において、第１識別部は、複数の識別素子の間であって、挿入口側に位置する。
【００５６】
この構成により、金券の挿入状態の様々な問題に対応して、第１識別部と第２識別部の役割を分担しながら、確実に金券の識別を行える。
【００５７】
本発明の第１３の発明に係る金券識別装置では、第１から第１２のいずれかの発明に加えて、第１識別部と第２識別部とをその範囲に含む、金券を搬送する搬送機構を更に有する。
【００５８】
この構成により、搬送機構は、挿入路に対応して金券を搬送できる。
【００５９】
本発明の第１４の発明に係る金券識別装置では、第１から第１３のいずれかの発明に加えて、挿入口から挿入された金券を収容する保管部を、挿入方向側に更に有する。
【００６０】
この構成により、識別が確定できた金券は、保管される。
【００６１】
本発明の第１５の発明に係る金券識別装置では、第１から第１４のいずれかの発明に加えて、挿入検出部、第１識別部、第２識別部および搬送機構の少なくとも一つを制御する制御部を更に備え、制御部は、識別完了位置で、金券の搬送を一時停止させる。
【００６２】
この構成により、識別完了位置で停止させることで、金券が第２識別部による識別や検出を確実に行われる。
【００６３】
本発明の第１６の発明に係る金券識別装置では、第１５のいずれかの発明に加えて、制御部は、識別完了位置で停止している金券を、第２識別部を用いて、金券の有無、正常状態および異常状態の少なくとも一つを判断する。
【００６４】
この構成により、制御部は第１識別部で識別が完了した状態でも、更に問題のある状態を検出して対応できる。
【００６５】
本発明の第１７の発明に係る金券識別装置では、第１６の発明に加えて、制御部は、識別完了位置で停止している金券が異常状態であると判断する場合には、金券を挿入口から吐出する、保管部への収容を停止する、金券の停止状態を維持する、および警告を発する、ことの少なくとも一つを行う。
【００６６】
この構成により、異常状態による問題の発生を未然防止できる。
【００６７】
以下、図面を参照しながら、本発明の実施の形態を説明する。
【００６８】
（実施の形態１）
【００６９】
（金券識別装置全体の概要）
まず、実施の形態１における金券識別装置の全体概要を、図１〜図３を用いて説明する。図１は、本発明の実施の形態１における金券識別装置の斜視図である。図１は、金券識別装置１の外観を示している。下記に説明する金券識別装置１の要素の一部は、金券識別装置１の内部の要素であるが、全体を把握する便宜上、全体概要においては、内部の要素も含めて外観を示す図１で説明する。
【００７０】
図２は、本発明の実施の形態１における金券識別装置の正面図である。図２は、左側と右側に、保管部６が排出されていない状態と保管部６が排出されている状態とを示している。図３は、本発明の実施の形態１における金券識別装置の設置態様を示す模式図である。
【００７１】
金券識別装置１は、自動貸出機などに含まれて設置されることが多い。特に、図３に示されるように遊戯用機械１００同士の間の自動貸出機に含まれて設置されることが多い。
【００７２】
図３では、遊戯用機械１００として、パチンコ機やスロットマシン機が示されている。このようなパチンコ機やスロットマシン機は、パチンコ玉やゲーム用コインを必要とする。遊戯者２００は、遊戯用機械１００の前に着座して遊戯を行う。もちろん、多数の遊戯用機械１００が遊戯店において設置されており、遊戯者２００は、多数の遊戯用機械１００のいずれかの前に着座して遊戯を行う。
【００７３】
遊戯者２００は、遊戯の実施に当たってパチンコ玉やゲーム用コインを必要とする。このとき、遊戯中に簡単にパチンコ玉やゲーム用コインを追加して入手したいと考える。このため、パチンコ機やスロットマシン機などの遊戯用機械１００同士の間に、パチンコ玉やゲーム用コインなどの自動貸出機５０が設置される。この自動貸出機５０は、台間機とも呼ばれる。
【００７４】
自動貸出機５０は、パチンコ玉やゲーム用コインを貸し出すに当たって、遊戯者２００からの金券を受けとる。金券は、紙幣であったり、専用のプリペイドカードであったり、商品券などであったりする。このため、自動貸出機５０は、金券識別装置１を含んで設置されることが多くなる。
【００７５】
以上のように、金券識別装置１は、一例として、遊戯用機械１００同士の間に設置される。また、金券識別装置１は、自動販売機の紙幣挿入部に接続して設置されてもよい。いずれの場合も、金券と引き換えに商品や物品の販売や貸し出しを行う機器に合わせて装着される。
【００７６】
遊戯者２００は、紙幣のような金券を、自動貸出機５０に備えられている金券識別機１の挿入口３に挿入する。この挿入によって、必要金額のパチンコ玉やゲーム用コインを入手する。例えば、遊戯者２００は、１０００円札を、挿入口３を通じて金券識別機１に挿入する遊技者２００が、この１０００円分のパチンコ玉やゲーム用コインを入手したいと考える場合には、１０００円札の挿入の後で、必要な操作を行って、１０００円分のパチンコ玉やゲーム用コインを入手できる。
【００７７】
また、１０００円札を挿入したが、５００円分のパチンコ玉やゲーム用コインを入手したいだけの場合には、１０００円札を挿入した後で、５００円分のみの入手用の操作を行って、５００円分のパチンコ玉やゲーム用コインを入手する。このとき、パチンコ玉などに引き換えなかった残りの５００円は、金券識別機１からおつりとして返却されたり、５００円分の再使用可能なプリペイドカードとして返却されたりする。
【００７８】
このように、金券識別装置１は、いわゆる紙幣（硬貨も含めた現金）やプリペイドカードなどの金券を取り扱う非常にシビアな装置である。上述のように、挿入された１０００円札によって、パチンコ玉などが供給されたり、お釣りとしての現金やプリペイドカードが遊戯者２００に提供されたりすることになる。
【００７９】
このため、金券識別装置１が、挿入された金券の識別を間違えてしまうと、窃盗と同様の状態が生じてしまう。あるいは、遊戯者２００が悪意を持って、偽の金券を挿入して窃盗を働くこともあり得る。窃盗においては、偽の金券を挿入して、パチンコ玉やゲーム用コインを不正に入手することがある。あるいは正しい金券を挿入して金券識別装置１で識別させてパチンコ玉などを入手した後で、挿入した金券を引き出すこともある。あるいは、窃盗ではないが、金券を挿入した後で、異物を挿入して金券識別装置１を故障させるなどのいたずらをすることもある。もちろん、遊戯者２００に悪意がない状態で、しわや折れ曲がった金券が挿入されてしまって、金券識別装置１の故障の原因となることもある。
【００８０】
このように、金券識別装置１は、挿入された金券の真贋と種類を正確に識別することはもちろん、遊戯者２００のいたずらあるいは挿入された金券の不備によって、窃盗、故障、不正行為などの問題を未然防止する必要を有している。
【００８１】
金券識別装置１は、図１に示されるように、挿入口３、挿入路３１、識別部４、搬送駆動手段９、保管部６、排出駆動手段８、排出口７を備える。また、この金券識別装置１は、これらの要素を筐体２に格納する。金券識別装置１は、筐体２によってその外形を形成できる。ここで、筐体２は、一定の奥行きと高さを有しつつ、幅の小さい薄型かつ縦型である。このため、金券識別装置１も、幅の小さな薄型の外形を有するようになる。薄型の外形であることで、狭い隙間において縦方向に、金券識別装置１が、設置されることが多い。
【００８２】
挿入口３は、筐体２の前方に設けられ金券の挿入を受け付ける。挿入路３１は、挿入口３から挿入された金券を通す。識別部４は、挿入路３１において設けられ、金券を識別する。搬送駆動手段９は、挿入路３１に挿入された金券を搬送する。保管部６は、搬送駆動手段９で搬送された金券を一時的に保管する。排出駆動手段８は、保管部６を筐体２の前方であって外部に排出する。排出口７は、この排出駆動手段８によって排出される保管部６を排出する出口となる。
【００８３】
また、挿入路３１と保管部６とは、挿入口３を基点とした挿入方向において、略平行な同一平面上に配置される。また、保管部６は、筐体２の縦方向に沿って金券を保管する形態で設けられる。加えて、搬送駆動手段９および排出駆動手段８を構成する機械部品や電子部品は、縦型（縦長であって薄い）の筐体２の縦方向に沿って実装されている。このような形態と実装により、金券識別装置１は、遊戯用機械１００同士の狭い隙間に縦型にして設置することが可能となる。
【００８４】
図３に示されるこのような金券識別装置１は、着座している遊戯者２００が、遊戯を続行しながら金券を挿入して必要なパチンコ玉やゲーム用コインを入手する。以上のように、金券識別装置１は、金券の挿入、金券の識別、識別結果の通知（例えば、サーバーや制御部あるいは、自動貸出機に通知する）、金券の収容の機能とこれに合わせた構成を有する。更に、識別結果の通知を受けた自動貸出機は、パチンコ玉やゲーム用コインを供給する。
【００８５】
（金券識別装置の識別部分の全体概要）
金券識別装置１は、図１〜３を用いて上述のように説明した全体構造を有している。ここで、金券識別装置１は、金券の識別をその大きな機能として有している。この識別においては、遊戯者２００による偽の金券挿入、いたずら、金券の挿入障害などにも対応する必要がある。実施の形態１の金券識別装置１は、この識別機能において、これらの諸問題に対応する。
【００８６】
図４は、本発明の実施の形態１における金券識別装置の識別部分３０の模式図である。図４は、挿入口３に金券４０が挿入される前の状態を示している。加えて、図４は、図１で示される金券識別装置１の内部である挿入口３の内部と挿入路３１を示している。
【００８７】
金券識別装置１は、金券４０が挿入される挿入口３を有している。挿入口３から挿入された金券４０が移動する（搬送される）挿入路３１も、備わっている。この挿入路３１の一部が、識別部分３０の領域となる。
【００８８】
挿入口３からの金券４０は、矢印Ａの方向に挿入される（矢印Ａは、挿入方向である）。挿入口３から挿入方向に従って、前段から第１位置６１、第２位置７１、第３位置８１の順序で、それぞれの領域を示す位置が設定される。第１位置６１が、挿入口３にもっとも近い位置である。第２位置７１は、第１位置の挿入方向に沿った後段の位置である。第３位置８１は、第２位置の挿入方向に沿った後段の位置である。
【００８９】
第１位置６１には、挿入検出部６０Ａ、６０Ｂが設けられる。挿入検出部６０（６０Ａ，６０Ｂ）は、金券４０が挿入口３から挿入されたことを検出する。
【００９０】
第１位置６１の後方であって、第３位置８１の前方である第２位置７１には、金券４０の真贋および種類の少なくとも一つを識別する第１識別部７０が設けられる。更に、第２位置の後方である第３位置８１には、金券４０の存在、真贋および種類の少なくとも一つを識別する第２識別部８０（８０Ａ，８０Ｂ）を備える。
【００９１】
金券４０は、遊戯者２００によって、手で挿入口３に挿入される。挿入検出部６０は、挿入口３のすぐ後ろの第１位置６１に設けられているので、手で挿入された金券４０は、そのまま挿入検出部６０に到達できる。このため、手で挿入された金券４０は、挿入された段階で金券４０の挿入を検出できる。
【００９２】
第１識別部７０は、金券４０が挿入されて、挿入路３１を搬送される際の、金券４０の先端から終端までの通過によって、金券４０の真贋および種類の少なくとも一つを識別する。言い換えれば、第１識別部７０は、金券４０の先端から後端までの全体の通過を待って、金券４０の真贋および種類の少なくとも一つを識別できる。
【００９３】
第１識別部７０の識別により、金券４０の真贋および種類の少なくとも一つが識別されるので、金券識別装置１の識別部分３０としての識別機能の最小限は、実行される。すなわち、第１識別部７０は、金券４０の真贋および種類の少なくとも一つの一定条件に基づく識別を完了させる。この第１識別部７０による一定条件での識別の完了した位置を、識別完了位置という。
【００９４】
第２識別部８０（８０Ａ，８０Ｂ）は、金券４０の存在、真贋および種類の少なくとも一つを識別できる。第２識別部８０は、第１識別部７０と同一条件や同一手法によって金券４０を識別してもよいし、第１識別部７０と別条件や別手法によって、金券４０を識別してもよい。
【００９５】
第２識別部８０は、識別完了位置となった金券４０と重複可能である。第１識別部７０と第２識別部８０との位置関係（第２位置７１と第３位置８１）および、第１識別部７０による金券４０の識別の完了である識別完了位置との、それぞれの相互の位置関係によって、金券４０は、識別完了位置でも、第２識別部８０と重複できる。
【００９６】
第１識別部７０は、金券４０の真贋および種類の少なくとも一つを一定条件で識別を完了できる。この識別の完了によって、金券識別装置１は、挿入された金券４０の真贋等を確認できる。この真贋や種類の確認ができれば、基本的には、金券識別装置１は、挿入された金券４０によって、パチンコ玉やゲーム用コインの供給を行うことが可能であることを、制御部やサーバーに通知できる。
【００９７】
しかしながら、この識別完了位置での識別完了状態でも、従来技術で説明したような種々の問題があり得る。金券４０の引き抜きであったり、偽の金券４０の追加投入であったりなどの盗難行為や、異物混入などのいたずらや、金券４０の搬送や収容の困難性の発生などの問題である。
【００９８】
このような問題があり得る場合でも、識別完了位置において、金券４０は、まだ第２識別部８０と重複している。この結果、第２識別部８０が、金券４０の存在、真贋および種類の少なくとも一つを更に識別できる状態である。このため、上述のような問題が発生しうる場合でも、第２識別部８０による識別が、これに対応できる。
【００９９】
金券識別装置１の分野では、この識別完了状態となった識別完了位置のことをエスクロ位置と呼ぶこともある。従来技術の金券識別装置では、このエスクロ位置となったときに、金券が識別部や識別センサと重複していない問題があった。実施の形態１における金券識別装置１は、このエスクロ位置となった場合でも、第２識別部８０が、金券４０と重複した状態を構成できる。この結果、さまざまな問題が生じうる場合でも、第２識別部８０が金券４０を識別でき、識別結果や識別結果に基づく種々の情報を、上位の要素（制御部やサーバーなど）に通知できる。
【０１００】
この通知によって、上位要素は、問題の生じうる金券４０の対処を決定して、問題の発生を防止したり、発生した問題を解消したりすることができる。
【０１０１】
次に、各部の詳細と共に、動作説明を行う。
【０１０２】
（第１段階：金券の挿入）
図４に示されるように、第１段階では、遊戯者などの使用者が金券４０を金券識別装置１に挿入する。このとき、使用者は、挿入口３から金券４０を手作業で挿入する。
【０１０３】
挿入口３は、金券４０の大きさに合わせた大きさと形状を有している。金券識別装置１の構成や仕様によるが、挿入口３は、金券４０を１枚ずつ挿入するか、複数枚の金券４０を挿入するかを、その大きさで切り替えることができる。
【０１０４】
（第２段階：金券挿入の識別）
図５は、本発明の実施の形態１における金券識別装置の識別部分の模式図である。
【０１０５】
第１段階で金券４０が挿入口３から挿入されると、その挿入の作業によって、金券４０の先端から一部分が挿入路３１の前方に入り込む。この入り込みよって、金券４０の先端は、挿入検出部６０Ａ、６０Ｂに到達する。図５は、この状態を示している。
【０１０６】
挿入口３が、挿入側が広く、内部ほどやや狭くなるような受け口形状を有していることで、使用者が金券４０を挿入するだけで、図５のように、金券４０の先端が、挿入検出部６０Ａ，６０Ｂに到達できるようになる。すなわち、挿入だけで、金券４０は、挿入検出部６０Ａ、６０Ｂと重複した状態を生じさせることができる。
【０１０７】
挿入検出部６０Ａ，６０Ｂは、所定の波長の光を発する発光部を備える。加えて、この発光部からの反射光を受ける反射光検出部および透過光を受ける透過光検出部の少なくとも一方を備える。この構成に基づいて、挿入検出部６０Ａ，６０Ｂは、金券４０が挿入口３から挿入路３１に挿入されたことを検出できる。
【０１０８】
金券識別装置１は、全体の要素の少なくとも一つを制御する制御部５００を更に有する。この制御部５００は、金券識別装置１内部に設けられてもよいし、金券識別装置１の外部に設けられてもよい。さらには、金券識別装置１（あるいはこれを装着する自動貸出機や自動販売機など）を管理するサーバーと、電気通信可能に接続されている。
【０１０９】
挿入検出部６０Ａ，６０Ｂは、金券４０の挿入を検出すると、検出した結果を、この制御部５００に通知する。制御部５００が、サーバーを兼用する場合には、制御部５００は、金券４０が挿入されたことに基づいて、必要な動作を、金券識別装置１の各要素に指示を行う。あるいは、制御部５００は、検出結果を、一旦サーバーに通知する場合には、サーバーが検出結果を確認したうえで、制御部５００に、必要な動作指示を出力する。
【０１１０】
サーバーが用いられるのは、たとえば、遊戯場のように多数の金券識別装置１が設置される場合である。多数の金券識別装置１が設置される場合には、サーバーが、これら金券識別装置１を集中管理することがベターだからである。
【０１１１】
図５に示されるように、挿入検出部６０Ａ，６０Ｂが、金券４０の挿入を検出すると、制御部５００は、搬送機構９０を動作させて、金券４０を挿入方向に搬送する。搬送機構９０は、たとえば、搬送ベルトを有している。制御部５００は、この搬送ベルトを回転させることで、金券４０を挿入方向に搬送させる。
【０１１２】
挿入方向に沿って、第１位置６１の挿入検出部６０、第２位置７１の第１識別部７０、第３位置８１の第２識別部８０の順序で並んでいる。このため、搬送機構９０による搬送によって、金券４０は、挿入検出部６０から第１識別部７０、第２識別部８０の順序で、対向していく。
【０１１３】
なお、挿入検出部６０は、図４、図５などに示されるように、２つの挿入検出部６０Ａ、挿入検出部６０Ｂとを有してもよい。２つの挿入検出部６０Ａ、６０Ｂの２つが設けられることで、金券４０の幅が挿入口３の幅よりも小さくて、挿入口３のいずれかに偏った状態で挿入される場合でも、挿入検出部６０は、確実に金券４０の挿入を検出できる。
【０１１４】
もちろん、３つの挿入検出部６０Ａ，Ｂ，Ｃが設けられてもよい。これらは、コストや仕様に応じて定められればよい。
【０１１５】
（第３段階：第１識別部での識別）
図６は、本発明の実施の形態１における金券識別装置の識別部分の模式図であり、第３段階を示す模式図である。
【０１１６】
搬送機構９０によって金券４０が搬送されると、金券４０の先頭は第１識別部７０に到達する。すなわち、金券４０は、第１識別部７０と重複した状態となる。
【０１１７】
第１識別部７０は、光を発行する発光部を有する。更に、第１識別部７０は、この発光部からの光が、金券４０で反射されて生じる反射光を受ける反射光検出部および、金券４０を投下して生じる透過光を受ける透過光検出部の少なくとも一方を有する。
【０１１８】
透過光検出部および反射光検出部の少なくとも一方は、透過光もしくは反射光に基づいて、金券４０の反射率および透過率の少なくとも一つである識別情報を検出する。このとき、第１識別部７０は、反射光および透過光の両方を検出しても当然に良いし、一方だけを検出しても当然に良い。
【０１１９】
搬送機構９０は、金券４０を、その先端から後端までを、第１識別部７０を通過するように搬送する。この金券４０全体の搬送によって、金券４０の先端から後端までが、第１識別部７０を通過する。この先端から後端までの通過における識別情報に基づいて、第１識別部７０は、金券４０の真贋および種類の少なくとも一方を識別する。
【０１２０】
第１識別部７０は、反射光および透過光の少なくとも一方を検出することで、金券４０の色味などに基づく波長や周波数を検出できる。金券４０は、その種類に応じた色味の分布を模様として有しているので、検出された波長や周波数を、モデルとする波長や周波数と対比させることで、金券４０の種類を、第１識別部７０は識別できる。もちろん、第１識別部７０は、金券４０の真贋も識別できる。
【０１２１】
また、第１識別部７０は、金券４０の先端から後端までの搬送時間あるいは搬送時間から算出される金券４０の長さを検出することで、金券４０の真贋や種類を識別できる。例えば、紙幣などの金券は、その種類によって長さが異なるからである。
【０１２２】
第１識別部７０は、金券４０の先端から後端までの通過によって、一定条件に基づく金券４０の識別を完了する。この一定条件とは、金券４０の真贋および種類のすべての識別を含むこともあるし、その一部のみを含むこともある。このような一定条件に基づく金券４０の識別の完了を、識別完了状態という。
【０１２３】
このように、金券４０の先端から後端までの通過の中で、第１識別部７０の反射率および透過率の少なくとも一方に基づいて、識別完了状態が成立する。なお、識別完了状態が生じる金券４０の先端から後端までの、第１識別部７０の通過の間には、金券４０の一部は、第２識別部８０も通過できる。
【０１２４】
このため、識別完了状態は、第１識別部７０での金券４０の先端から後端までの通過および、第２識別部８０における金券４０の一部の通過によって、実行されると考えてもよい。この場合には、第１識別部７０と第２識別部８０とが補い合うようにして、金券４０の真贋および種類の少なくとも一つを識別する。この識別が完了した状態が、識別完了状態である。
【０１２５】
（第４段階：第１識別部および第２識別部での識別）
図７は、本発明の実施の形態１における金券識別装置の識別部分での、第４段階の識別状態を示す説明図である。
【０１２６】
上述の通り、搬送機構９０が金券４０を搬送すると、金券４０は、第１識別部７０と重なる部分を移動させる。加えて、金券４０は、第２識別部８０Ａ，８０Ｂとも重なりながら移動する。
【０１２７】
この移動によって、金券４０は、第１識別部７０での識別を受けるのに合わせて、第２識別部８０Ａ、８０Ｂでの識別も受けるようになる。第１識別部７０では、金券４０は、先端から後端まですべての通過が行われるが、第２識別部８０Ａ、８０Ｂでは、後述のように識別完了位置まででは、金券４０の一部の通過が行われる。
【０１２８】
第２識別部８０は、第１識別部７０と同様に、光を発行する発光部を有する。この発光部からの光が、金券４０を透過する透過光を検出する透過光検出部および、発光部からの光が金券４０を反射する反射光を検出する反射光検出部の少なくとも一方を有する。
【０１２９】
透過光検出部および反射光検出部のそれぞれは、金券４０からの透過率および反射率を検出する。金券４０の一部におけるこの反射率および検出率に基づいて、第２識別部８０は、金券４０の真贋および種類の少なくとも一つを識別できる。
【０１３０】
識別においては、透過率や反射率に基づく、金券４０の色味や輝度の波長や周波数を用いる。このとき、第２識別部８０は、第１識別部７０と同じ条件で、真贋や種類の少なくとも一つを識別してもよいし、異なる条件で、真贋や種類の少なくとも一つを識別してもよい。
【０１３１】
図７では、金券４０が移動しているので、第１識別部７０と第２識別部８０とのそれぞれが、金券４０の透過率や反射率を検出しながら、金券４０の真贋や種類を識別している。
【０１３２】
すなわち、図７では、第１識別部７０と第２識別部８０Ａ，８０Ｂとが、一緒になって、挿入路３１を搬送されている金券４０の真贋および種類の少なくとも一つを識別している。このとき、上述のように、第１識別部７０と第２識別部８０Ａ，８０Ｂとでは、異なる条件や方法で識別を行ってもよいし、同じ条件や方法で識別を行ってもよい。
【０１３３】
異なる条件や方法で識別を行う場合には、第２識別部８０Ａ，８０Ｂは、第１識別部７０の補助としての識別を行うと考えられてもよい。
【０１３４】
たとえば、第１識別部７０では、真贋と種類の両方を識別するのに対して、第２識別部８０Ａ、８０Ｂでは、真贋のみもしくは種類のみを識別する。あるいは、真贋や種類を識別する際に、第１識別部７０での識別精度が、第２識別部８０Ａ．８０Ｂでの識別精度よりも高いことでもよい。あるいは、第２識別部８０Ａ、８０Ｂは、第１識別部７０の識別結果の一部を加えて、自身の識別作業を行ってもよい。
【０１３５】
たとえば、第１識別部７０は、金券４０の先端から後端までの通過による金券の長さを基準の一つとして金券４０の真贋や種類を識別する。この長さを基準とした識別結果を、第２識別部８０Ａ，８０Ｂが受けて、第２識別部８０Ａ，８０Ｂは、透過率や反射率のみで、金券４０の識別を行ってもよい。
【０１３６】
なお、透過光や反射光の透過率や反射率に基づいて、第１識別部７０や第２識別部８０Ａ，８０Ｂは、金券４０の波長、周波数などを検出し、これをモデルと対応させることで、金券４０の真贋や種類を識別できる。
【０１３７】
（第５段階：第１識別部での識別完了）
図８は、本発明の実施の形態１における金券識別装置の識別部分の説明図であり、識別完了位置となった場合の説明図である。
【０１３８】
金券４０は、搬送機構９０によって、挿入路３１を徐々に内部方向（保管部側）に搬送される。搬送されながら、第１識別部７０と第２識別部８０Ａ、８０Ｂを通過していく。
【０１３９】
この通過によって、金券４０の先端から後端までが第１識別部７０を通過する。先端から後端までの通過時間と通過速度を基にして、第１識別部７０は、第１識別部７０は、金券４０の長さを識別できる。金券４０は、紙幣などの場合には、種類のよってその長さが異なることがある。第１識別部７０は、この長さを検出することで、金券の種類を識別できる。また、他の要素と長さとを合わせることで、金券の真贋を区別することもできる。例えば、ある紙幣の長さを有しているが、透過光や反射光に基づく波長が異なる場合には、カラー印刷された偽紙幣であると、第１識別部７０は、識別できる。
【０１４０】
第１識別部７０によって、金券４０の識別が完了するのは、図８のように、金券４０の後端が第１識別部７０を通過したところである。この通過したところで、第１識別部７０は、金券４０の長さはもちろん、全長での範囲にわたって、反射光や透過光による波長や周波数に基づく識別を終えることができる。
【０１４１】
この図８の状態は、第１識別部７０による、金券４０の識別完了状態であり、この金券４０の位置を識別完了位置３５と定義する。上述したように、エスクロ位置と定義されることもある位置である。
【０１４２】
この識別完了位置３５に金券４０が到達することで、第１識別部７０による、金券４０の識別の基本作業は完了する。この第１識別部７０での識別により、基本的には、金券識別装置１は、金券４０の真贋および種類の識別を完了できる。
【０１４３】
識別が完了しているので、金券識別装置１は、そのまま金券４０を収容して、必要な物品や商品を提供してもよい。
【０１４４】
しかしながら、参考技術で説明したように、この識別完了位置において、遊戯者２００がいたずらで異物を押し込んでしまうこともある。あるいは、金券４０が保管部に収容される際に、商品を余分に取ろうとする操作を行う不正を働く可能性がある。
【０１４５】
あるいは、識別完了位置３５での金券４０を即座に取り出して、商品をただで入手しようとすることもありえる（例えば、金券４０に糸をつけておき、糸を引っ張ることで金券４０を取り出す）。
【０１４６】
さらには、金券４０がしわを持っていたり、保管部が満杯であったりして、金券４０の保管部への収容が困難となることもある。この場合には、金券４０の収容ができないことから、金券４０を、挿入口３から吐き出す必要がある。
【０１４７】
しかし、参考技術では、識別完了位置３５では、識別部を金券が通過した後であるので、制御部５００やサーバーは、金券４０を検出することも識別することもできない。この状態では、上記のようないたずら、不正行為、不測の事情を検出できない。この場合には、制御部５００やサーバーは、金券４０を収容できないままに、商品を遊戯者２００に提供してしまわなくてはならない。
【０１４８】
実施の形態１の金券識別装置１では、この識別完了位置３５においても、金券４０は、第２識別部８０Ａ，８０Ｂと重複した状態である。すなわち、第２識別部８０Ａ，８０Ｂは、金券４０の存在、種類、真贋などを識別できる状態にある。少なくとも、金券４０の存在を識別できる状態にある。
【０１４９】
このような構成を有することで、金券識別装置１は、エスクロ位置と呼ばれる識別完了位置３５でも、第２識別部８０Ａ，８０Ｂによって、金券４０を識別できる状況を残している。
【０１５０】
このため、制御部５００は、識別完了位置３５において、搬送機構９０を停止させて、金券４０を一時停止させる。第２識別部８０での必要な識別作業を行えるようにするためである。
【０１５１】
この状況が残っていることで、上述のような不正行為や不測の事態がある場合でも、制御部５００やサーバーは、第２識別部８０Ａ，８０Ｂを用いて、金券４０の識別を行ったり、金券４０への不正行為などを検出したりすることができる。
【０１５２】
第２識別部８０Ａ，８０Ｂを通じて、不正行為、いたずら、不測の事態を検出できれば、制御部５００は、金券４０を挿入口３から吐出したり、警告を発したりすることができる。こうすれば、不正等によって、商品を提供することを防止できる。
【０１５３】
あるいは、保管部の故障や搬送機構の故障を防止できる。
【０１５４】
制御部５００は、第２識別部８０Ａ，８０Ｂでの問題もないと判断すれば、再び搬送機構９０を動作させて、金券４０を搬送して保管部に移動させて金券４０を収容する。
【０１５５】
もちろん、必要に応じて、第２識別部８０Ａ、８０Ｂで更に真贋や種類を識別して、ダブルチェックの結果によって、金券４０を識別して、商品の提供を行うことでもよい。
【０１５６】
以上のように、実施の形態１における金券識別装置１は、エスクロ位置と呼ばれる識別完了位置３５となった状態でも、金券４０に第２識別部８０Ａ、８０Ｂを重複させることができる。この結果、いたずら、不正行為、不測の事態に対応することができ、より信頼性の高い金券識別装置１を実現できる。
【０１５７】
（実施の形態２）
【０１５８】
次に実施の形態２について説明する。
【０１５９】
実施の形態２では、各要素の種々の工夫や組み合わせの工夫について説明する。
【０１６０】
（第２識別部）
図７などに示されるように、第２識別部８０は、金券４０の挿入方向と交差する方向に沿って、複数の識別素子を有することも適当である。すなわち、２つの識別素子である、第２識別部８０Ａと第２識別部８０Ｂとが、備わっている。このとき、第２識別部８０Ａと第２識別部８０Ｂとが、交差する方向に沿って、略平行であることも好適である。
【０１６１】
第２識別部８０が複数であることで、識別完了位置３５となった場合に、金券４０の幅や金券４０の折れ曲がり状態などの発生に関係なく、第２識別部８０Ａ、８０Ｂのいずれかが確実に、金券４０に重複できるからである。重複できれば、制御部５００は、確実に金券４０での問題の検出を行える。
【０１６２】
また、第２識別部８０Ａと第２識別部８０Ｂとが、略平行であることで、金券４０の挿入方向に対して、確実に、識別を行いやすくなるメリットがある。もちろん、非平行とすることで、識別を行いやすくすることも好適である。
【０１６３】
なお、第２識別部８０Ａ，８０Ｂのそれぞれは、反射光や透過光を受ける複数の光学素子から構成されていてもよい。
【０１６４】
（第１識別素子）
第１識別素子７０は、金券４０の挿入方向の略直交方向において、第２識別部８０Ａ、第２識別部８０Ｂとの間であって、挿入口３側に位置することも好適である。
【０１６５】
このような位置に設置されることで、第１識別部７０は、金券４０の先端から後端までのすべてを確実かつ連続的に識別することができる。加えて、第２識別部８０Ａ，８０Ｂとの役割分担を確実に行うことができる。
【０１６６】
図７などでは、第１識別部７０は単体であるが、複数の第１識別部７０が備えられてもよい。あるいは、第１識別部７０が、複数の光学素子から構成されてもよい。
【０１６７】
（搬送機構）
搬送機構９０は、第１識別部７０と第２識別部８０とをその範囲に含む。これらの範囲を含むことで、搬送機構９０は、金券４０を、挿入口３から入ったところから、識別完了位置３５まで確実に搬送できる。もちろん、搬送機構９０は、挿入検地部６０から、保管部６にかけて設けられてもよい。このように設けられることで、挿入された金券４０が保管部６まで搬送される。保管部６は、図１で説明したように、挿入路３１の奥に設けられ、識別の終わった金券４０が所定枚数保管される。
【０１６８】
保管部６に保管された金券４０は、保管部６の取り出しなどによって、必要に応じて回収される。例えば、毎日の売り上げ計算時に、回収される。
【０１６９】
搬送機構９０は、搬送ベルトなどを備えており、制御部５００の指示によって、搬送駆動機構の動作も受けて、回転する。この回転によって、搬送機構９０は、金券４０を挿入方向に移動させる。この移動の中で、第１識別部７０や第２識別部８０での識別が実現される。
【０１７０】
また、搬送機構９０は、制御部５００の指示により、逆方向に回転して、金券４０を挿入口３から排出することも可能である。例えば、第１識別部７０での識別の段階で、識別エラーが生じたり、偽物であるとの識別結果が出たりする場合には、搬送機構９０は、逆方向に回転して、金券４０を排出する。
【０１７１】
あるいは、識別完了位置３５において、第２識別部８０によって、不正行為、いたずら、問題点の発生などが検出される場合にも、搬送機構９０は逆回転して、金券４０を、挿入口３から排出できる。排出できることで、不正行為を未然防止したり、金券識別装置１の故障を未然防止したりできる。
【０１７２】
（制御部）
制御部５００は、挿入検出部６０、第１識別部７０、第２識別部８０および搬送機構９０の少なくとも一つを制御する。制御部５００は、金券識別装置１のそれぞれに実装されてもよいし、複数の金券識別装置１をまとめて制御するように実装されてもよい。例えば、複数の金券識別装置１を管理するサーバーが備わっており、このサーバーが、制御部５００の役割を担ってもよい。
【０１７３】
あるいは、サーバーと制御部５００が両方設けられ、それぞれが役割を分担してもよい。例えば、挿入検出部などを動作させる実際の制御を、制御部５００が行い、上位概念での命令指示を、サーバーが管理してもよい。
【０１７４】
制御部５００は、挿入口３に金券４０が挿入されて、挿入検出部６０が金券４０の挿入を検出したところで、起動して、搬送機構９０を動作させる。このように、金券４０の挿入によって起動することで、消費電力を削減できる。
【０１７５】
制御部５００は、搬送機構９０を動作させて、挿入された金券４０を、挿入方向に搬送する。ここで、識別完了位置３５に金券が到達すると、制御部５００は、金券４０を一時停止させる。この一時停止によって、金券４０に何らかの問題があることを、第２識別部８０が識別、検出できる状態を構成できる。
【０１７６】
ここで、第２識別部８０は、識別完了位置３５で一時停止している金券４０を、金券４０の有無、正常状態および異常状態の少なくとも一つを判断する。これは、制御部５００の指示によって行われればよい。
【０１７７】
制御部５００は、識別完了位置３５で停止している金券４０が、異常状態であると判断する場合には、金券４０を挿入口３から吐出する（排出する）、保管部６への保管を停止する、金券４０の停止状態を維持する、および警告を発することの少なくとも一つを行う。
【０１７８】
制御部５００のこれらの動作のいずれかによって、異常状態の金券４０を、保管部６に保管することを防止できる。もちろん、いたずらによる金券識別装置１の故障や、不正行為による商品の盗難などを未然防止できる。
【０１７９】
ここで、異常状態とは上述したような、偽金券、金券４０の引き抜き、異物の挿入、金券４０の保管部６への搬送困難などの様々な問題を生じさせる事象である。
【０１８０】
なお、保管部６は、搬送機構９０によって搬送された金券４０を保管する。保管部６は、図１より明らかなように、筐体２内部に設けられる空間である。また保管部６は、金券４０の縦横にあわせたサイズを有している（もちろん、金券４０が紙幣であればこれに合わせたサイズを有していればよいし、プリペイドカードであればこれにあわせたサイズを有していればよい）。
【０１８１】
以上のように、実施の形態２における金券識別装置１は、さまざまな異常状態への対応をスムーズかつ確実に行うことができる。
【０１８２】
なお、実施の形態１、２で説明した金券識別装置１は、一例であり、本発明の主旨を逸脱しない範囲を排除するものではない。
【符号の説明】
【０１８３】
１    金券識別装置
２    筐体
３    挿入口
３１    搬送路
６    保管部
７    排出口
８    排出駆動手段
９    搬送駆動手段
１００    遊戯用機械
２００    遊戯者
９０    搬送機構
３０    識別部分
３５    識別完了位置
４０    金券
６０    挿入検出部
７０    第１識別部
８０    第２識別部
【図１】
2016001449.tif 000003
【図２】
2016001449.tif 000004
【図３】
2016001449.tif 000005
【図４】
2016001449.tif 000006
【図５】
2016001449.tif 000007
【図６】
2016001449.tif 000008
【図７】
2016001449.tif 000009
【図８】
2016001449.tif 000010